(57)【要約】【課題】従来の情報再生装置では、無効な情報まで先読み処理で読み出しを行ってしまうため、情報の読み出しに要する時間が長くなっていた。【解決手段】領域情報と欠陥情報とから記録媒体の領域内の有効な位置情報を作成し、読み出し中の記録媒体上の位置情報と領域内有効位置情報作成手段で作成した位置情報とを比較し、その比較結果に基づき、記録媒体からの情報の読み出しを継続するか、情報の読み出しを中断して次の領域に移動し情報の読み出しを再開するかを制御するように構成する。【選択図】図１
2005174436.tif 000002
【特許請求の範囲】
【請求項１】
複数の領域を有する記録媒体から情報を読み出す再生処理手段と、前記再生処理手段の出力を格納するバッファ手段と、前記再生処理手段と前記バッファ手段からの情報で前記記録媒体の種別を決定する記録媒体種別決定手段と、前記記録媒体種別決定手段の結果に基づき前記記録媒体の領域情報を決定する領域情報決定手段と、前記バッファ手段から情報を読み出して前記記録媒体の欠陥情報を決定する欠陥情報決定手段と、前記領域情報決定手段で決定した領域情報と前記欠陥情報決定手段で決定した欠陥情報とから前記記録媒体の領域内の有効な位置情報を作成する領域内有効位置情報作成手段と、前記再生処理手段と前記バッファ手段のいずれかあるいは両方から得られる読み出し中の前記記録媒体上の位置情報と前記領域内有効位置情報作成手段で作成した位置情報とを比較する位置情報比較手段と、前記位置情報比較手段の結果に基づき、前記記録媒体からの情報の読み出しを継続するか、情報の読み出しを中断し、次の領域に移動して情報の読み出しを再開するかを決定するシステム制御手段とを備えたことを特徴とする情報再生装置。
【請求項２】
位置情報比較手段で、再生処理手段とバッファ手段のいずれかあるいは両方から得られる読み出し中の記録媒体上の位置情報が、領域内有効位置情報決定手段で決定した領域内有効位置情報の最終位置と一致するかどうかを比較することを特徴とする請求項１記載の情報再生装置。
【請求項３】
位置情報比較手段で、再生処理手段とバッファ手段のいずれかあるいは両方から得られる読み出し中の記録媒体上の位置情報が、領域内有効位置情報決定手段で決定した領域内有効位置情報の最終位置から所定の数を引いた値と一致するかどうかを比較することを特徴とする請求項１記載の情報再生装置。
【請求項４】
位置情報比較手段で、再生処理手段とバッファ手段のいずれかあるいは両方から得られる読み出し中の記録媒体上の位置情報が、領域内有効位置情報決定手段で決定した領域内有効位置情報の最終位置から所定の数を引いた値から領域内有効位置情報の最終位置までの範囲内かどうかを比較することを特徴とする請求項１記載の情報再生装置。
【請求項５】
複数の領域を有する記録媒体から情報を読み出す情報再生方法において、前記記録媒体の領域情報と欠陥情報とから領域内有効位置情報を決定する領域内有効位置情報決定ステップと、前記領域内有効位置情報決定ステップで決定した領域内有効位置情報と読み出し中の前記記録媒体上の位置情報とを比較する位置情報比較ステップと、前記位置情報比較ステップの結果に基づき前記記録媒体からの情報の読み出しを継続するか、情報の読み出しを中断し、次の領域に移動して情報の読み出しを再開するかを決定するシステム制御ステップとを有することを特徴とする情報再生方法。
【請求項６】
位置情報比較ステップで、読み出し中の記録媒体上の位置情報が、領域内有効位置情報決定ステップで決定した領域内有効位置情報の最終位置と一致するかどうかを比較することを特徴とする請求項５記載の情報再生方法。
【請求項７】
位置情報比較ステップで、読み出し中の記録媒体上の位置情報が、領域内有効位置情報決定ステップで決定した領域内有効位置情報の最終位置から所定の数を引いた値と一致するかどうかを比較することを特徴とする請求項５記載の情報再生方法。
【請求項８】
位置情報比較ステップで、読み出し中の記録媒体上の位置情報が、領域内有効位置情報決定ステップで決定した領域内有効位置情報の最終位置から所定の数を引いた値から領域内有効位置情報の最終位置までの範囲内かどうかを比較することを特徴とする請求項５記載の情報再生方法。
【発明の詳細な説明】
【技術分野】
【０００１】
本発明は、ＤＶＤ（デジタル多用途ディスク）やＣＤ（コンパクトディスク）などの記録媒体から情報を読み出す情報再生装置および情報再生方法に関するものである。
【背景技術】
【０００２】
記録媒体から情報を読み出す情報再生装置の従来例として、ハードディスク装置や光ディスク装置があげられる。これらの装置はいずれも情報を読み出す際に、まず記録媒体上の情報を読み出そうとする位置にヘッドあるいは光ピックアップを移動する時間（以下、シーク時間とする）が必要である。一般に、これらの情報再生装置では、シーク時間をできるだけ減らし、情報の読み出しに要する時間を短縮するために、読み出しを要求される可能性が高いと予測される情報をあらかじめ読み出しバッファに格納する処理（以下、先読み処理とする）を実施している。
【０００３】
また、複数の領域を有する記録媒体から情報を読み出す情報再生装置での先読み処理についても、各領域の最終位置に到達した場合に情報の読み出しを停止し、次の領域に移動し、情報の読み出しを再開する処理を実施する情報再生装置が一般的に知られている（例えば、特許文献１参照）。
【０００４】
図１３は、複数の領域を有する記録媒体から情報を読み出す従来の情報再生装置のブロック図を示すものである。図１３において、従来の情報再生装置は、記録媒体１から情報を読み出す再生処理手段２と、再生処理手段２の出力を格納するバッファ手段３と、再生処理手段２とバッファ手段３からの情報で記録媒体の種別を決定する記録媒体種別決定手段４と、記録媒体種別決定手段４の結果に基づいて記録媒体１の領域情報を決定する領域情報決定手段５と、バッファ手段３から情報を読み出して記録媒体１の欠陥情報を決定する欠陥情報決定手段６と、再生処理手段２とバッファ手段３のいずれかあるいは両方から得られる読み出し中の記録媒体上の位置情報と領域情報決定手段で決定した位置情報とを比較する位置情報比較手段８１と、位置情報比較手段８１の結果に基づき、記録媒体１からの情報の読み出しを継続するか、情報の読み出しを中断し、次の領域に移動して情報の読み出しを再開するかを決定するシステム制御手段９とで構成されている。
【０００５】
このような情報再生装置においては、図１４に示すように、再生処理手段２とバッファ手段３のいずれかあるいは両方から得られる読み出し中の記録媒体上の位置情報が領域情報決定手段５で決定した領域情報の最終位置と一致するかどうかを位置情報比較手段８１で比較して、一致していた場合に情報の読み出しを中断して次の領域に移動し、情報の読み出しを再開するように制御されている。
【特許文献１】特開２０００−２００１５５号公報
【発明の開示】
【発明が解決しようとする課題】
【０００６】
しかしながら、領域内に欠陥セクタが存在する場合、領域内の最終位置まで有効な情報が記録されていないことがあり、この場合に従来の情報再生装置では領域の最後に配置されている無効な情報まで先読み処理で読み出しを行ってしまい、結果的に情報の読み出しに要する時間が長くなるという課題があった。
【０００７】
本発明は、かかる課題を解決し、領域内に欠陥セクタが存在することにより領域の最終位置まで有効な情報が記録されていない場合でも、領域の最後に配置される無効な情報に対する先読み処理を実施せず、情報の読み出しに要する時間を短縮することが可能な情報再生装置を提供することを目的とする。
【課題を解決するための手段】
【０００８】
上記課題を解決するために、本発明の情報再生装置は、複数の領域を有する記録媒体から情報を読み出す再生処理手段と、再生処理手段の出力を格納するバッファ手段と、再生処理手段とバッファ手段とからの情報で記録媒体の種別を決定する記録媒体種別決定手段と、記録媒体種別決定手段の結果に基づいて記録媒体の領域情報を決定する領域情報決定手段と、バッファ手段から情報を読み出し記録媒体の欠陥情報を決定する欠陥情報決定手段と、領域情報決定手段で決定した領域情報と欠陥情報決定手段で決定した欠陥情報とから記録媒体の領域内の有効な位置情報を作成する領域内有効位置情報作成手段と、再生処理手段、バッファ手段のいずれかあるいは両方から得られる読み出し中の記録媒体上の位置情報と領域内有効位置情報作成手段で作成した位置情報とを比較する位置情報比較手段と、位置情報比較手段の結果に基づき記録媒体からの情報の読み出しを継続するか、情報の読み出しを中断して次の領域に移動し、情報の読み出しを再開するかを決定するシステム制御手段とを備えて、構成している。
【発明の効果】
【０００９】
本発明は、複数の領域を有する記録媒体から情報を読み出す情報再生装置において、領域内に欠陥セクタが存在することにより領域の最終位置まで有効な情報が記録されていない場合でも、領域の最後に配置される無効な情報に対する先読み処理を実施せず、情報の読み出しに要する時間を短縮することができる効果がある。
【発明を実施するための最良の形態】
【００１０】
本発明の請求項１〜４に記載の発明は、複数の領域を有する記録媒体から情報を読み出す再生処理手段と、前記再生処理手段の出力を格納するバッファ手段と、前記再生処理手段と前記バッファ手段からの情報で前記記録媒体の種別を決定する記録媒体種別決定手段と、前記記録媒体種別決定手段の結果に基づき前記記録媒体の領域情報を決定する領域情報決定手段と、前記バッファ手段から情報を読み出して前記記録媒体の欠陥情報を決定する欠陥情報決定手段と、前記領域情報決定手段で決定した領域情報と前記欠陥情報決定手段で決定した欠陥情報とから前記記録媒体の領域内の有効な位置情報を作成する領域内有効位置情報作成手段と、前記再生処理手段と前記バッファ手段のいずれかあるいは両方から得られる読み出し中の前記記録媒体上の位置情報と前記領域内有効位置情報作成手段で作成した位置情報とを比較する位置情報比較手段と、前記位置情報比較手段の結果に基づき、前記記録媒体からの情報の読み出しを継続するか、情報の読み出しを中断し、次の領域に移動して情報の読み出しを再開するかを決定するシステム制御手段とを備えたものである。
【００１１】
以下、本発明の実施の形態について図面を参照しながら説明する。
【００１２】
（実施の形態１）
図１に、本発明の実施の形態１における情報再生装置のブロック図を示す。
【００１３】
はじめに、図１を参照しながら、実施の形態１の情報再生装置の構成について説明を行う。
【００１４】
実施の形態１の情報再生装置は、複数の領域を有する記録媒体１から情報を読み出す再生処理手段２と、再生処理手段２の出力を格納するバッファ手段３と、再生処理手段２とバッファ手段３からの情報で記録媒体１の種別を決定する記録媒体種別決定手段４と、記録媒体種別決定手段４の結果に基づき記録媒体１の領域情報を決定する領域情報決定手段５と、バッファ手段３から情報を読み出して記録媒体１の欠陥情報を決定する欠陥情報決定手段６と、領域情報決定手段５で決定した領域情報と欠陥情報決定手段６で決定した欠陥情報とから記録媒体１の領域内の有効な位置情報を作成する領域内有効位置情報作成手段７と、再生処理手段２とバッファ手段３のいずれかあるいは両方から得られる読み出し中の記録媒体１上の位置情報と領域内有効位置情報作成手段７で作成した位置情報とを比較する位置情報比較手段８と、位置情報比較手段８の結果に基づいて再生処理手段２を制御するシステム制御手段９を備えている。
【００１５】
次に、実施の形態１の情報再生装置の動作について説明を行う。以下の実施の形態１の説明において、記録媒体としてＤＶＤ−ＲＡＭ規格Ｖｅｒｓｉｏｎ２．０に規定されている光ディスクを例にとって説明する。
【００１６】
まず、再生処理手段２で記録媒体１に対してレーザー光を当てて焦点位置や再生信号振幅等の情報を取得する。これらの情報により記録媒体１がＤＶＤ系なのかそれ以外なのかを判断する。記録媒体１の種別がＤＶＤ系の場合、記録媒体上の制御情報記録位置から制御情報を読み出し、バッファ手段３に格納する。再生処理手段２で得られる情報とバッファ手段３に格納された制御情報とに基づき、記録媒体１の種別を記録媒体種別決定手段４で決定する。
【００１７】
次に、領域情報決定手段５で、記録媒体種別決定手段４の結果に基づいて領域情報を決定する。この領域情報というのは、記録媒体毎に規格で決められているものであり、記録媒体の種別が決定すれば、あらかじめ準備している領域情報の中から決定された記録媒体に対応する領域情報を領域情報決定手段５で決定する。記録媒体１がＤＶＤ−ＲＡＭ規格Ｖｅｒｓｉｏｎ２．０規定の光ディスクの場合、記録媒体上の領域配置は図２のように規格で規定されており、決定される領域情報は図３のようになる。図２に示すように、各領域（図中のＺｏｎｅに相当する）には情報を記録することができるＵｓｅｒ  ａｒｅａがあり、最初の領域の先頭と、最終の領域の最後には欠陥が存在した場合に交替して情報を記録するためのＳｐａｒｅ  ａｒｅａがあり、各領域の間には情報を記録することができないＧｕａｒｄ  ａｒｅａが存在する。
【００１８】
次に、再生処理手段２で記録媒体１上の欠陥情報記録位置から欠陥情報を読み出し、バッファ手段３に格納する。ＤＶＤ−ＲＡＭ規格Ｖｅｒｓｉｏｎ２．０規定の光ディスクの場合、内周部、外周部にそれぞれ２つずつ合計４つの欠陥情報が記録されている。これらの情報をすべて読み出してバッファ手段３に格納する。欠陥情報決定手段６では、バッファ手段３に格納されたこの４つの欠陥情報の内容を判定し、記録されている情報が正しくかつ更新番号が最新である欠陥情報をこの記録媒体１の欠陥情報として決定する。
【００１９】
次に、欠陥情報決定手段６で決定した欠陥情報と領域情報決定手段５で決定した領域情報とを用いて、領域内で有効な情報が記録されている位置情報を領域内有効位置情報決定手段７で作成する。領域内有効位置情報決定手段７の動作について、図４、図５、図６を用いて説明する。
【００２０】
ＤＶＤ−ＲＡＭ規格Ｖｅｒｓｉｏｎ２．０では、セクタ毎に１つのアドレスが割り振られているが、記録、再生時は１６セクタを１つの最小単位（以下、ＥＣＣブロックとする）としている。このため、Ｕｓｅｒ  ａｒｅａ内には１６の複数倍のセクタが存在するように記録されている。Ｕｓｅｒ  ａｒｅａ内に欠陥が存在しない場合、図４に示すようにＵｓｅｒ  ａｒｅａ内の最終有効ＥＣＣブロック４４の最後のセクタ４４ａは、Ｕｓｅｒ  ａｒｅａの最終位置と一致し、Ｕｓｅｒ  ａｒｅａ内の最終位置まで有効な情報が記録されている。
【００２１】
しかし、図５に示すようにＵｓｅｒ  ａｒｅａ内に欠陥セクタがｎ個存在する場合、Ｕｓｅｒ  ａｒｅａ内の有効情報セクタ数を１６の倍数とするために、Ｕｓｅｒ  ａｒｅａの最後からｋ個のセクタがｆｒａｃｔｉｏｎと呼ばれる情報が記録されない無効なセクタとなる。ここで、ｋはｎとの和が１６の複数倍になるように決定される０以上１５以下の整数である。この場合、Ｕｓｅｒ  ａｒｅａの最終有効ＥＣＣブロック５２の最後のセクタ５２ａは、Ｕｓｅｒ  ａｒｅａの最終位置ではなく、最終位置からｋセクタ手前の位置になる。つまり、Ｕｓｅｒ  ａｒｅａの中の有効な情報が記録されている最終位置は、Ｕｓｅｒ  ａｒｅａが属する領域内に欠陥セクタが存在しない場合はＵｓｅｒ  ａｒｅａの最終位置となるが、Ｕｓｅｒ  ａｒｅａが属する領域内に欠陥セクタが存在する場合は、Ｕｓｅｒ  ａｒｅａの最後位置からｋセクタ手前の位置となる。領域内有効位置情報決定手段７では、このように欠陥情報と領域情報とを用いて、各領域についてこの領域内有効位置情報の算出を行い、各領域のＵｓｅｒ  ａｒｅａ内の最終有効位置情報を決定する。
【００２２】
図６は、Ｚｏｎｅ１のアドレス３９９６２ｈからアドレス３９９６Ａｈまで９つの欠陥セクタが存在している場合に決定される領域内有効位置情報について具体的に示している。Ｚｏｎｅ１には９つの欠陥セクタ６１が存在するため、Ｚｏｎｅ１のＵｓｅｒ  ａｒｅａの最終位置から６セクタはｆｒａｃｔｉｏｎ６２となり無効な情報となっている。この時決定される領域内有効位置情報はＺｏｎｅ１ではアドレス３９９６０ｈからアドレス４３８１８ｈとなる。その他のＺｏｎｅについては、欠陥セクタが存在しないため、Ｕｓｅｒ  ａｒｅａのセクタアドレスと同一となる。
【００２３】
この領域内有効位置情報を決定した後、記録媒体１から情報の読み出しを行う。位置情報比較手段８では、図７に示すように、まず再生処理手段２で情報を読み出し中に取得する記録媒体上の位置情報あるいは、バッファ手段３に格納された情報の中に記録されている位置情報を取得し（図７ステップ１）、次に取得した位置情報に基づき読み出し中の領域の領域内有効位置情報を取得し（図７ステップ２）、読み出し中の位置情報と領域内有効位置情報とを比較し（図７ステップ３）、読み出し中の位置情報と領域内有効位置情報の最終位置が一致した場合に比較結果一致を出力し（図７ステップ４）、不一致の場合は比較結果不一致を出力（図７ステップ５）する。
【００２４】
システム制御手段９では、位置情報比較手段８の比較結果に基づき、比較結果が不一致の場合は、現在読み出し中の位置はＵｓｅｒ  ａｒｅａの途中であり、このまま読み出しを継続すると次の有効な情報が読み出せると判断し、再生処理手段２に記録媒体１からの情報の読み出しの継続を指示する。また、比較結果が一致の場合は、図６の矢印で示すように、現在読み出し中の位置はＵｓｅｒ  ａｒｅａの有効情報最終位置であり、このまま読み出しを継続しても有効な情報は読み出せないと判断し、読み出しを停止し、次の領域のＵｓｅｒ  ａｒｅａに移動し、情報の読み出しを再開するように再生処理手段２を制御する。
【００２５】
以上のように本実施の形態１によれば、位置情報比較手段８の結果に基づき、比較結果が不一致の場合は記録媒体１からの情報の読み出しを継続し、比較結果が一致の場合は記録媒体１からの情報の読み出しを停止し、次の領域のＵｓｅｒ  ａｒｅａに移動して、情報の読み出しを再開するようにシステム制御手段９が再生処理手段２を制御する。これにより、領域内に欠陥セクタが存在することにより、領域の最終位置まで有効な情報が記録されていない場合でも、無効な情報に対する先読み処理を実施せず、情報の読み出しに要する時間を短縮することが可能である。
【００２６】
なお、実施の形態１と類似したつぎのような実施の形態も考えられる。
【００２７】
この実施の形態のブロック図は、実施の形態１のブロック図である図１と同じ構成である。この実施の形態では前述の実施の形態１で説明した位置情報比較手段８の処理の一部（図７ステップ３）だけが異なるので、この点について図８を参照しながら説明する。図８においてステップ３１以外は図７と同様の動作である。
【００２８】
本実施の形態の位置情報比較手段８では、ＤＶＤ−ＲＡＭ規格Ｖｅｒｓｉｏｎ２．０の記録、再生時がＥＣＣブロック単位であることから、読み出し中の位置情報と、領域内有効情報の最終有効ＥＣＣブロックの先頭位置情報（領域内有効位置情報の最終位置から１６を引いた値）を比較する（図８ステップ３１）ことで、記録媒体からの読み出しが領域内の有効な情報の最終位置まで来ているかどうかを判断して、結果を出力している。
【００２９】
なお、本実施の形態では、記録媒体として、ＤＶＤ−ＲＡＭ規格Ｖｅｒｓｉｏｎ２．０規定の光ディスクを例にとって説明しているため、１６という値を用いて説明を行ったが、この値は任意の整数であっても同様に実施可能であることはいうまでもない。
【００３０】
なお、実施の形態１と類似したつぎのような実施の形態も考えられる。
【００３１】
この実施の形態のブロック図は、実施の形態１のブロック図である図１と同じ構成である。この実施の形態では前述の実施の形態１で説明した位置情報比較手段８の処理の一部（図７ステップ３）だけが異なるので、この点について図９を参照しながら説明する。図９においてステップ３２以外は図７と同様の動作である。
【００３２】
本実施の形態の位置情報比較手段では、ＤＶＤ−ＲＡＭ規格Ｖｅｒｓｉｏｎ２．０規定の光ディスクの記録、再生の最小単位がＥＣＣブロック単位であることから、読み出し中の位置情報と、領域内有効情報の最終有効ＥＣＣブロックに属するセクタのいずれかの位置（領域内有効位置情報の最終位置から１６引いた値から領域内有効位置情報の最終位置までの値）とを比較する（図９ステップ３２）ことで、読み出し中の位置情報が領域内有効位置情報の最終有効ＥＣＣブロックに属する位置情報であるかどうかを判断して、結果を出力している。
【００３３】
なお、本実施の形態では、記録媒体として、ＤＶＤ−ＲＡＭ規格Ｖｅｒｓｉｏｎ２．０規定の光ディスクを例にとって説明しているため、１６という値を用いて説明を行ったが、この値は任意の整数であっても同様に実施可能であることはいうまでもない。
【００３４】
（実施の形態2）
次に、本発明の実施の形態２における情報再生方法について説明する。本実施の形態の情報再生方法では、記録媒体の領域情報と欠陥情報とから領域内有効位置情報を決定する領域内有効位置情報決定ステップと、領域内有効位置情報決定ステップで決定した領域内有効位置情報と読み出し中の位置情報とを比較する位置情報比較ステップと、位置情報比較ステップの結果に基づき記録媒体からの情報の読み出しを継続するか、情報の読み出しを中断し、次の領域に移動して情報の読み出しを再開するかを決定するシステム制御ステップとを有している。
まず、図１０、図１１を参照しながら、領域内有効位置情報決定ステップの動作について説明する。
【００３５】
以下の実施の形態２の説明において、記録媒体としてＤＶＤ−ＲＡＭ規格Ｖｅｒｓｉｏｎ２．０に規定されている光ディスクを例にとって説明する。
【００３６】
図１０は、本実施の形態の領域内有効位置情報決定ステップで決定する領域内有効位置情報の最終位置と論理セクタ番号（以下ＬＳＮと示す）との関係を示した図である。ＤＶＤ−ＲＡＭ規格Ｖｅｒｓｉｏｎ２．０に規定されている光ディスクでは、欠陥セクタやｆｒａｃｔｉｏｎにはＬＳＮは割り当てられないので、図１０に示すように、Ｚｏｎｅ（Ｎ）の最終有効位置情報というのは、Ｚｏｎｅ（Ｎ＋１）の先頭ＬＳＮから１を引いた値を物理セクタ番号（以下ＰＳＮと示す）に変換することで算出できる。また、最終のＺｏｎｅ（３４）については、記録媒体に記録されているＬＳＮの合計数をＰＳＮに変換することで算出できる。
【００３７】
図１１は、本実施の形態２の領域内有効位置情報決定ステップにおいて、欠陥情報と領領域情報とから領域内有効位置情報を決定する処理のフローチャートを示したものである。
【００３８】
まず、変数Ｚを０にする（図１１ステップ１）。次に欠陥情報からＺｏｎｅ（Ｚ＋１）の先頭ＬＳＮを取得する（図１１ステップ２）。取得したＺｏｎｅ（Ｚ＋１）の先頭ＬＳＮから１ひいたＬＳＮがＺｏｎｅ（Ｚ）の最終有効セクタとなるので、このＬＳＮに対応するＰＳＮを算出する（図１１ステップ３）。算出したＰＳＮをＺｏｎｅ（Ｚ）の領域内有効位置情報の最終位置とする（図１１ステップ４）。変数Ｚをインクリメントする（図１１ステップ５）。変数Ｚが３４より小さいかどうかを比較する（図１１ステップ６）。比較結果がＹｅｓの場合、ステップ２に戻り、前述と同様の処理を行う。これにより、最終Ｚｏｎｅ以外の有効位置情報の最終位置が決定される。ステップ６での比較結果がＮｏの場合、欠陥情報から合計論理セクタ数を取得する（図１１ステップ７）。取得した合計論理セクタ数に対応するＰＳＮを算出する（図１１ステップ８）。算出したＰＳＮをＺｏｎｅ（３４）の領域内有効位置情報の最終位置とする（図１１ステップ９）。以上の処理により、各領域の有効位置情報の最終位置が決定される。
【００３９】
次に、位置情報比較ステップの動作について、示したものが図７である。図７の動作については、前述の実施の形態１で説明した動作と同様である。
【００４０】
最後に、システム制御ステップの動作について図１２を参照しながら説明する。まず位置情報比較ステップの結果を取得する（図１２ステップ１）。取得した結果が、一致かどうかを確認する（図１２ステップ２）。結果が一致の場合は、このまま読み出しを継続しても有効な情報は読み出せないと判断し、読み出しを停止し、次の領域に移動して情報の読み出しを再開する（図１２ステップ３）。結果が不一致の場合は、このまま読み出しを継続すれば次の有効な情報が読み出せると判断し、情報の読み出しの継続する（図１２ステップ４）。
【００４１】
以上のように本実施の形態２によれば、位置情報比較ステップの結果に基づき、比較結果が不一致の場合は記録媒体からの情報の読み出しを継続し、比較結果が一致の場合は記録媒体からの情報の読み出しを停止し、次の領域に移動して情報の読み出しを再開するようにシステム制御ステップが動作する。これにより、領域内に欠陥セクタが存在して、領域の最終位置まで有効な情報が記録されていない場合でも、無効な情報に対する先読み処理を実施せず、情報の読み出しに要する時間を短縮することが可能である。
【００４２】
なお、本実施の形態では、記録媒体としてＤＶＤ−ＲＡＭ規格Ｖｅｒｓｉｏｎ２．０規定の光ディスクを例にとって説明したが、これに限定するものではないことはいうまでもない。
【００４３】
なお、本実施の形態２では記録媒体としてＤＶＤ−ＲＡＭ規格Ｖｅｒｓｉｏｎ２．０規定の光ディスクを例にとって説明しているため、３４という具体的な値を用いて説明を行ったが、この値は任意の整数であっても同様に実施可能であることはいうまでもない。
【００４４】
なお、実施の形態２と類似したつぎのような実施の形態も考えられる。
【００４５】
この実施の形態では前述の実施の形態２で説明した位置情報比較ステップの処理の一部（図７ステップ３）だけが異なる。処理のフローチャートは図８に記載しているが、動作については、実施の形態１で説明した動作と同様の動作である。
【００４６】
なお、実施の形態２と類似したつぎのような実施の形態も考えられる。
【００４７】
この実施の形態では前述の実施の形態１で説明した位置情報比較ステップの処理の一部（図７ステップ３）だけが異なる。処理のフローチャートは図９に記載しているが、動作については、実施の形態１で説明した動作と同様の動作である。
【産業上の利用可能性】
【００４８】
本発明の情報再生装置は、領域内に欠陥セクタが存在することにより領域の最終アドレスまで有効な情報が記録されていない場合でも、無効な情報に対する先読み処理を実施せず、情報再生に要する時間を短縮することでき、有用である。
【図面の簡単な説明】
【００４９】
【図１】本発明の実施の形態１の情報再生装置のブロック図
【図２】ＤＶＤ−ＲＡＭ規格Ｖｅｒｓｉｏｎ２．０のＺｏｎｅ構造を説明する模式図
【図３】ＤＶＤ−ＲＡＭ規格Ｖｅｒｓｉｏｎ２．０のＺｏｎｅ毎のセクタアドレス表を示す模式図
【図４】欠陥セクタが存在しない場合のＺｏｎｅ内の情報記録状態を説明する模式図
【図５】欠陥セクタが存在する場合のＺｏｎｅ内の情報記録状態を説明する模式図
【図６】本発明の実施の形態１の情報再生装置の動作を説明する模式図
【図７】本発明の実施の形態１および実施の形態２の位置情報比較手段あるいは位置情報比較ステップの処理手順を示すフローチャート（その１）
【図８】本発明の実施の形態１および実施の形態２の位置情報比較手段あるいは位置情報比較ステップの処理手順を示すフローチャート（その２）
【図９】本発明の実施の形態１および実施の形態２の位置情報比較手段あるいは位置情報比較ステップの処理手順を示すフローチャート（その３）
【図１０】本発明の実施の形態２の領域内有効情報決定ステップの動作を説明する模式図
【図１１】本発明の実施の形態２の領域内有効情報決定ステップの処理手順を示すフローチャート
【図１２】本発明の実施の形態２のシステム制御ステップの処理手順を示すフローチャート
【図１３】従来の情報再生装置のブロック図
【図１４】従来の情報再生装置の動作を説明する模式図
【符号の説明】
【００５０】
１    記録媒体
２    再生処理手段
３    バッファ手段
４    記録媒体種別決定手段
５    領域情報決定手段
６    欠陥情報決定手段
７    領域内有効位置情報決定手段
８    位置情報比較手段
９    システム制御手段
【図１】
2005174436.tif 000003
【図２】
2005174436.tif 000004
【図３】
2005174436.tif 000005
【図４】
2005174436.tif 000006
【図５】
2005174436.tif 000007
【図６】
2005174436.tif 000008
【図７】
2005174436.tif 000009
【図８】
2005174436.tif 000010
【図９】
2005174436.tif 000011
【図１０】
2005174436.tif 000012
【図１１】
2005174436.tif 000013
【図１２】
2005174436.tif 000014
【図１３】
2005174436.tif 000015
【図１４】
2005174436.tif 000016